(57)【要約】【課題】外乱光がある観察環境においてコントラストを低下させないことを可能にする。【解決手段】本発明に係る表示体は複数の画素を具備している。複数の画素の少なくとも１つは、表示体の主面の法線と交差する斜め方向から観察する条件において赤色を表示するように構成された第１サブ領域と、当該条件において緑色を表示するように構成された第２サブ領域と、当該条件において青色を表示するように構成された第３サブ領域とを含む複数の凹部又は凸部からなる第１領域と、２５０ｎｍ乃至５００ｎｍの範囲内の中心間距離で二次元的に配置されると共に各々が順テーパ形状を有する複数の凹部又は凸部からなる第２領域とを備える。複数の画素の残部は、第１及び第２領域の少なくとも一方を備える。表示体は、斜め方向から観察する条件において、第１領域の分布に基づいた画像を表示する。【選択図】図３
2013120259.tif 000002
【特許請求の範囲】
【請求項１】
複数の画素を具備した表示体であって、
前記複数の画素の少なくとも１つは、前記表示体の主面の法線と交差する斜め方向から観察する条件において赤色を表示するように構成された第１サブ領域と、当該条件において緑色を表示するように構成された第２サブ領域と、当該条件において青色を表示するように構成された第３サブ領域とを含む複数の凹部又は凸部からなる第１領域と、２５０ｎｍ乃至５００ｎｍの範囲内の中心間距離で二次元的に配置されると共に各々が順テーパ形状を有する複数の凹部又は凸部からなる第２領域とを備え、
前記複数の画素の残部は、前記第１及び第２領域の少なくとも一方を備え、
前記表示体は、前記条件において、前記第１領域の分布に基づいた画像を表示する表示体。
【請求項２】
特定条件下において前記第２領域の分布に基づいた画像を表示する請求項１に記載の表示体。
【請求項３】
前記第２領域の分布に基づいた画像は、モノクロネガ画像である請求項２に記載の表示体。
【請求項４】
前記第２領域は、前記特定条件下において赤色を表示するように構成された第４サブ領域と、前記特定条件下において緑色を表示するように構成された第５サブ領域と、前記特定条件下において青色を表示するように構成された第６サブ領域とを含み、
前記第２領域の分布に基づいた画像は、フルカラーネガ画像である請求項２に記載の表示体。
【請求項５】
請求項１乃至４の何れか１項に記載の表示体と、前記表示体を剥離可能に支持した支持体層とを具備した転写箔。
【請求項６】
請求項１乃至４の何れか１項に記載の表示体と、これを支持した物品とを具備した表示体付き物品。
【発明の詳細な説明】
【技術分野】
【０００１】
本発明は、例えば、偽造防止効果、装飾効果、及び／又は美的効果を提供する光学技術に関する。
【背景技術】
【０００２】
有価証券、証明書、ブランド品、電子機器及び個人認証媒体などの物品には、偽造が困難であることが望まれる。そのため、このような物品には、偽造防止効果に優れた表示体を支持させることがある。
【０００３】
このような表示体の多くは、回折格子、ホログラム及びレンズアレイ等の微細構造を含んでいる。これらの微細構造は、例えば観察角度の変化に応じて、色の変化を生じる。また、これらの微細構造は、解析及び偽造することが困難である。それゆえ、このような表示体は、比較的高い偽造防止効果を発揮し得る。
【０００４】
なお、このような表示体に関する技術として、例えば画素をＲＧＢチャンネルとして３分割し、そのチャンネル内部の面積階調により写真画質のカラー画像を回折構造体で表現する技術がある。
【先行技術文献】
【特許文献】
【０００５】
【特許文献１】特開平８−２１１８２１号公報
【発明の概要】
【発明が解決しようとする課題】
【０００６】
ところで、上記した表示体において、ＲＧＢを表現する回折素子以外の部分は、鏡面反射層である。このため、例えば外乱光がある観察環境において表示体を観察した場合には、コントラストが低下してしまう。
【０００７】
そこで、本発明の目的は、外乱光がある観察環境においてコントラストを低下させないことを可能とする表示体、転写箔、及び表示体付き物品を提供することにある。
【課題を解決するための手段】
【０００８】
本発明の第１局面によると、複数の画素を具備した表示体であって、前記複数の画素の少なくとも１つは、前記表示体の主面の法線と交差する斜め方向から観察する条件において赤色を表示するように構成された第１サブ領域と、当該条件において緑色を表示するように構成された第２サブ領域と、当該条件において青色を表示するように構成された第３サブ領域とを含む複数の凹部又は凸部からなる第１領域と、２５０ｎｍ乃至５００ｎｍの範囲内の中心間距離で二次元的に配置されると共に各々が順テーパ形状を有する複数の凹部又は凸部からなる第２領域とを備え、前記複数の画素の残部は、前記第１及び第２領域の少なくとも一方を備え、前記表示体は、前記条件において、前記第１領域の分布に基づいた画像を表示する表示体が提供される。
【０００９】
本発明の第２局面によると、第１局面に係る表示体と、前記表示体を剥離可能に支持した支持体層とを具備した転写箔が提供される。
【００１０】
本発明の第３局面によると、第１局面に係る表示体と、これを支持した物品とを具備した表示体付き物品が提供される。
【発明の効果】
【００１１】
本発明は、外乱光がある観察環境においてコントラストを低下させないことを可能とする。
【図面の簡単な説明】
【００１２】
【図１】本発明の一態様に係る表示体を概略的に示す平面図。
【図２】図１に示す表示体の一部を拡大して示す平面図。
【図３】図１及び図２に示す表示体を構成している画素の一例を示す平面図。
【図４】図３に示す画素のＩＶ−ＩＶ線に沿った断面図。
【図５】図３及び図４に示す画素の第４界面部に採用可能な構造の一例を拡大して示す斜視図。
【図６】第１界面部が回折光を射出する様子を概略的に示す図。
【図７】図１及び図２に示す表示体を構成している画素の他の例を示す平面図。
【図８】図１及び図２に示す表示体を構成している画素の他の例を示す平面図。
【図９】図１及び図２に示す表示体を斜め方向から観察した状態を示す斜視図。
【図１０】本発明の一態様に係る転写箔を拡大して示す断面図。
【図１１】本発明の一態様に係る表示体付き物品を概略的に示す平面図。
【発明を実施するための形態】
【００１３】
以下、本発明の態様について、図面を参照しながら詳細に説明する。なお、各図において、同様又は類似した機能を発揮する構成要素には同一の参照符号を付し、重複する説明は省略する。
【００１４】
図１は、本発明の一態様に係る表示体を概略的に示す平面図である。図２は、図１に示す表示体の一部を拡大して示す平面図である。図１及び図２では、表示体１００の主面に平行であり且つ互いに直交する軸をＸ軸及びＹ軸とし、表示体１００の主面に垂直な軸をＺ軸としている。
【００１５】
図１に示す表示体１００は、図２に示す通り、複数の画素ＰＥを含んでいる。図２に示す例では、これら画素ＰＥは、Ｘ軸及びＹ軸に沿って矩形格子状に配列している。
【００１６】
表示体１００を構成している複数の画素ＰＥの少なくとも１つは、後述する第１サブ領域と、第２サブ領域と、第３サブ領域とを含む複数の凹部又は凸部からなる第１領域と、２５０ｎｍ乃至５００ｎｍの範囲内の中心間距離で二次元的に配置されると共に各々が順テーパ形状を有する複数の凹部又は凸部からなる第２領域とを備える。
【００１７】
図３は、図１及び図２に示す表示体を構成している画素の一例を示す平面図である。図４は、図３に示す画素のＩＶ−ＩＶ線に沿った断面図である。
【００１８】
図３に示すように、画素ＰＥは、赤色表示用画素ＰＥＲと、緑色表示用画素ＰＥＧと、青色表示用画素ＰＥＢとを備えている。これら画素ＰＥＲ、ＰＥＧ及びＰＥＢは、典型的には、面積が互いに等しい。
【００１９】
赤色表示用画素ＰＥＲは、第１サブ領域ＳＲ１と、第２領域Ｒ２とを備えている。なお、この第１サブ領域ＳＲ１は、表示体１００の主面の法線と交差する斜め方向から観察する条件（以下、単に斜め方向から観察する条件と表記）において、赤色を表示するように構成されている。即ち、第１サブ領域ＳＲ１は、斜め方向から観察する条件において、赤色に対応した波長の回折光を射出するようにストライプ状に配置された複数の凹部又は凸部を備えている。
【００２０】
緑色表示用画素ＰＥＧは、第２サブ領域ＳＲ２と、第２領域Ｒ２とを備えている。なお、この第２サブ領域ＳＲ２は、斜め方向から観察する条件において、緑色を表示するように構成されている。即ち、第２サブ領域ＳＲ２は、斜め方向から観察する条件において、緑色に対応した波長の回折光を射出するようにストライプ状に配置された複数の凹部又は凸部を備えている。
【００２１】
青色表示用画素ＰＥＢは、第３サブ領域ＳＲ３と、第２領域Ｒ２とを備えている。なお、この第３サブ領域ＳＲ３は、斜め方向から観察する条件において、青色を表示するように構成されている。即ち、第３サブ領域ＳＲ３は、斜め方向から観察する条件において、青色に対応した波長の回折光を射出するようにストライプ状に配置された複数の凹部又は凸部を備えている。
【００２２】
図４に示すように、画素ＰＥは、樹脂層１０と反射層２０との積層体を含んでいる。図４に示す例では、樹脂層１０側を前面とし、反射層２０側を背面としている。
【００２３】
樹脂層１０と反射層２０との界面は、第１界面部ＩＦ１、第２界面部ＩＦ２、第３界面部ＩＦ３及び第４界面部ＩＦ４を含んでいる。後述するように、界面部ＩＦ１乃至ＩＦ４には、凹構造及び／又は凸構造が設けられている。界面部ＩＦ１乃至ＩＦ４は、それぞれ、領域ＳＲ１、ＳＲ２、ＳＲ３及びＲ２に対応している。
【００２４】
樹脂層１０の材料としては、例えば、熱可塑性樹脂又は光硬化性樹脂を使用する。この場合、原版を用いた転写により、一方の主面に凸構造及び／又は凹構造が設けられた樹脂層１０を容易に形成することができる。
【００２５】
反射層２０としては、例えば、アルミニウム、銀、金、及びそれらの合金などの金属材料からなる金属層を使用することができる。或いは、反射層２０として、樹脂層１０とは屈折率が異なる誘電体層を使用してもよい。或いは、反射層２０として、隣り合うもの同士の屈折率が異なる誘電体層の積層体、即ち、誘電体多層膜を使用してもよい。なお、誘電体多層膜が含む誘電体層のうち樹脂層１０と接触しているものの屈折率は、樹脂層１０の屈折率とは異なっていることが望ましい。反射層２０は、例えば、真空蒸着法及びスパッタリング法などの気相堆積法により形成することができる。
【００２６】
表示体１００が反射層２０を含んでいる場合、表示体１００に、視認性がより優れた像を表示させることができる。
【００２７】
なお、反射層２０の存在する領域を空間的に分布させることにより、この反射層２０の分布を用いて、特には、この反射層２０の存在する領域の輪郭を用いて、図柄を表現することもできる。
【００２８】
界面部ＩＦ１乃至ＩＦ３は、例えばストライプ状に配置された複数の凹部又は凸部を備えている。一方、界面部ＩＦ４は、二次元的に配置されると共に各々が順テーパ形状を有する複数の凹部又は凸部を備えている。
【００２９】
図５は、図３及び図４に示す画素の第４界面部に採用可能な構造の一例を拡大して示す斜視図である。
【００３０】
図５に示す例では、第４界面部ＩＦ４は、二次元的に配置されると共に各々が順テーパ形状を有する複数の凸部からなる。
【００３１】
なお、界面部ＩＦ１乃至ＩＦ４では、複数の凹部又は凸部の中心間距離が互いに異なっている。なお、ここで「中心間距離」とは、隣り合った凹部間の距離、又は、隣り合った凸部間の距離を意味している。
【００３２】
第１界面部ＩＦ１を構成している複数の凹部又は凸部の中心間距離（つまり、第１サブ領域ＳＲ１における複数の凹部又は凸部の中心間距離）は、８６０ｎｍ乃至８８０ｎｍの範囲内にある。第１界面部ＩＦ１に対応した第１サブ領域ＳＲ１は、斜め方向から観察する条件では、赤色を表示する。
【００３３】
第２界面部ＩＦ２を構成している複数の凹部又は凸部の中心間距離（つまり、第２サブ領域ＳＲ２における複数の凹部又は凸部の中心間距離）は、７５５ｎｍ乃至７７５ｎｍの範囲内にある。第２界面部ＩＦ２に対応した第２サブ領域ＳＲ２は、斜め方向から観察する条件では、緑色を表示する。
【００３４】
第３界面部ＩＦ３を構成している複数の凹部又は凸部の中心間距離（つまり、第３サブ領域ＳＲ３における複数の凹部又は凸部の中心間距離）は、７３５ｎｍ乃至７５５ｎｍの範囲内にある。第３界面部ＩＦ３に対応した第３サブ領域ＳＲ３は、斜め方向から観察する条件では、青色を表示する。
【００３５】
なお、上記した第１サブ領域ＳＲ１、第２サブ領域ＳＲ２及び第３サブ領域ＳＲ３は、例えば特開平８−２１１８２１号公報に記載されている技術を用いて構成されていてもよい。
【００３６】
第４界面部ＩＦ４を構成している複数の凹部又は凸部の中心間距離（つまり、第２領域Ｒ２における複数の凹部又は凸部の中心間距離）は、２５０ｎｍ乃至５００ｎｍの範囲内にある。それゆえ、後で詳しく説明するように、第４界面部ＩＦ４に対応した第２領域Ｒ２は、表示体１００の主面の法線方向から観察する条件（以下、単に法線方向から観察する条件と表記）では、黒色又は暗灰色を表示する。また、第２領域Ｒ２は、上記した斜め方向から観察する条件では、回折光に起因した色を表示しない。
【００３７】
本実施形態においては、第２領域Ｒ２（つまり、ＲＧＢを表現する回折素子以外の部分）を高周波クロスグレーティング構造としている。これにより、第２領域Ｒ２は、入射光に対する正反射光の反射率を著しく低減させる、つまり、例えば外乱光を吸収することができる。
【００３８】
また、第２領域は、上記したように二次元的に配列した複数の凹部又は凸部からなり、且つ、通常の照明条件下において低反射性と低散乱性を有すると共に特定条件下において回折光射出機能を有するものである。第２領域は通常の照明条件下において低反射性と低散乱性を有することから、通常の照明条件下において黒色若しくは暗灰色等の明度及び彩度の低い色として知覚される。また、特定条件下において回折光射出機能を有することから、特定条件下において観察した際には、回折光を射出する機能を有する。  なお、ここで、「暗灰色」は、正反射光の強度を測定したときに、波長が４００ｎｍ乃至７００ｎｍの範囲内にある全ての光成分について反射率が２５％以下であることを意味している。また、「黒色」は、正反射光の強度を測定したときに、波長が４００ｎｍ乃至７００ｎｍの範囲内にある全ての光成分について反射率が１０％以下であることを意味している。
【００３９】
また、「通常の照明条件」とは、一般的な室内で蛍光灯等の照明光のもとで表示体に照明光からの光が略垂直に表示体の表面に入射し、観察者が目視によって表示体を観察する条件や、室外で太陽光等の照明光の下で表示体に照明光からの光が略垂直に表示体の表面に入射し、観察者が表示体を観察するような条件を示す。ここで、「通常照明光」とは、係る通常の照明条件における照明光をいう。
【００４０】
また、「特定条件下」とは、照明光からの光が表示体の表面に略水平に、即ち、急な角度で入射し、観察者が目視によってその表示体を観察する条件を意味する。
【００４１】
以下、特に第２領域Ｒ２に起因した表示体１００の視覚効果について、更に詳しく説明する。
【００４２】
一般に、ｍ次回折光（ｍ＝０、±１、±２、・・・）の射出角βは、回折格子の格子線に垂直な面内で光が進行する場合、下記等式から算出することができる。
【００４３】
ｄ＝ｍλ／（ｓｉｎα−ｓｉｎβ）
この等式において、ｄは回折格子の格子定数を表し、ｍは回折次数を表し、λは入射光及び回折光の波長を表している。また、αは、０次回折光、即ち、透過光又は正反射光の射出角を表している。換言すれば、αの絶対値は照明光の入射角と等しく、反射型回折格子の場合には、照明光の入射方向と正反射光の射出方向とは、回折格子が設けられた界面の法線に関して対称である。
【００４４】
なお、回折格子が反射型である場合、角度αは、０°以上であり且つ９０°未満である。また、回折格子が設けられた界面に対して斜め方向から照明光を照射し、法線方向の角度、即ち０°を境界値とする２つの角度範囲を考えると、角度βは、回折光の射出方向と正反射光の射出方向とが同じ角度範囲内にあるときには正の値であり、回折光の射出方向と照明光の入射方向とが同じ角度範囲内にあるときには負の値である。
【００４５】
法線方向から回折格子を観察する場合、表示に寄与する回折光は射出角βが０°の回折光のみである。従って、この場合、格子定数ｄが波長λと比較してより大きければ、上記等式を満足する波長λ及び入射角αが存在する。即ち、この場合、観察者は、上記等式を満足する波長λを有する回折光を観察することができる。
【００４６】
これに対し、格子定数ｄが波長λと比較してより小さい場合、上記等式を満足する入射角αは存在しない。従って、この場合、観察者は、回折光を観察することができない。
【００４７】
界面部ＩＦ４において、格子定数ｄに対応した中心間距離は、５００ｎｍ以下である。それゆえ、界面部ＩＦ４は法線方向に回折光を射出しないか、又は、この界面部が法線方向に射出する回折光は視感度の低いもののみである。
【００４８】
加えて、上述した通り、界面部ＩＦ４を構成している複数の凹部又は凸部は、順テーパ形状を有している。このような構造を採用した場合、複数の凹部又は凸部の中心間距離が十分に短ければ、これら界面部ＩＦ４は、Ｚ方向に連続的又は段階的に変化した屈折率を有しているとみなすことができる。そのため、この界面部ＩＦ４は、正反射光についての反射率が低い。
【００４９】
従って、界面部ＩＦ４が対応した領域Ｒ２は、法線方向から観察する条件では、黒色又は暗灰色を表示する。即ち、この法線方向から観察する条件では、第１サブ領域ＳＲ１、第２サブ領域ＳＲ２及び第３サブ領域ＳＲ３の分布に対応した像と、第２領域Ｒ２の分布に対応した像とは、互いから判別することが不可能であるか、又は、互いから判別することが極めて困難である。即ち、第１サブ領域ＳＲ１、第２サブ領域ＳＲ２及び第３サブ領域ＳＲ３の分布に対応した像と、第２領域Ｒ２の分布に対応した像とは、法線方向から観察する条件において、潜像を形成している。
【００５０】
なお、「像」とは、色及び／又は輝度の空間的分布として観察できるものを意味している。「像」は、写真、図形、絵、文字、及び記号などを包含している。
【００５１】
上記した第１サブ領域ＳＲ１、第２サブ領域ＳＲ２及び第３サブ領域ＳＲ３の分布に対応した像は、表示体１００を斜め方向から観察する条件において、可視化することができる。
【００５２】
一方、第２領域Ｒ２の分布に対応した像は、上記した特定条件下において、可視化することができる。以下、この点について説明する。
【００５３】
図６は、例えば第１界面部ＩＦ４が回折光を射出する様子を概略的に示す図である。図６において、Ｌ１は照明光を示し、Ｌ２は正反射光又は０次回折光を示し、Ｌ３は１次回折光を示している。
【００５４】
上述した通り、界面部ＩＦ４を構成している複数の凹部又は凸部は、その中心間距離が２５０ｎｍ〜５００ｎｍ程度の範囲内にある。それゆえ、表示体１００を可視光で照明すると、界面部ＩＦ４は、観察者が観察可能な角度βにおいて、１次回折光を射出することができる。なお、この角度βは、上記した第１サブ領域ＳＲ１、第２サブ領域ＳＲ２及び第３サブ領域ＳＲ３の分布に対応した像を可視化することができる角度と比較して深い角度となる。
【００５５】
従って、本実施形態に係る表示体１００を斜め方向から観察する条件では、界面部ＩＦ１乃至ＩＦ３に対応した第１サブ領域ＳＲ１、第２サブ領域ＳＲ２及び第３サブ領域ＳＲ３は、回折光に起因した像の表示に寄与する。これに対し、界面ＩＦ４に対応した第２領域Ｒ２は、上記した特定条件下において、回折光に起因した像の表示に寄与する。
【００５６】
即ち、本実施形態に係る表示体１００は、斜め方向から観察する条件において第１サブ領域ＳＲ１、第２サブ領域ＳＲ２及び第３サブ領域ＳＲ３（つまり、第１領域）の分布に基づいた画像（フルカラーポジ画像）を表示すると共に、特定条件下において第２領域Ｒ２の分布に基づいた画像（モノクロネガ画像）を表示する。
【００５７】
なお、図３を参照しながら説明した画素ＰＥを備えた表示体１００は、サブ領域ＳＲ１乃至ＳＲ３の一部又は全部が省略された画素ＰＥを更に備えていてもよい。
【００５８】
図７及び図８は、図１及び図２に示す表示体を構成している画素の他の例を示す平面図である。
【００５９】
図７に示す画素ＰＥでは、赤色表示用画素ＰＥＲは、第１サブ領域ＳＲ１のみからなる。また、緑色表示用画素ＰＥＧ及び青色表示用画素ＰＥＢは、第２領域Ｒ２のみからなる。それゆえ、図７に示す画素ＰＥは、斜め方向から観察する条件において、赤色の表示に寄与する。
【００６０】
図８に示す画素ＰＥでは、画素ＰＥＲ、ＰＥＧ及びＰＥＢは、第２領域Ｒ２のみからなる。それゆえ、図８に示す画素ＰＥは、上記した斜め方向から観察する条件において、例えば、黒色又は暗灰色の表示に寄与する。
【００６１】
このように、以上のような構成を採用した場合、第１サブ領域ＳＲ１と第２サブ領域ＳＲ２と第３サブ領域ＳＲ３との面積比に応じて、画素ＰＥに、任意の色を表示させることができる。即ち、このような構成を採用すると、斜めから観察する条件において、表示体１００に、フルカラーの像を表示させることが可能となる。
【００６２】
図９は、図１及び図２に示す表示体を斜め方向から観察した状態を示す斜視図である。
【００６３】
図１に示す通り、表示体１００は、法線方向から観察する条件では、像を表示しない。これに対し、図９に示す通り、表示体１００は、斜め方向から観察する条件では、像をフルカラーで表示する。即ち、表示体１００では、観察条件を法線方向から斜め方向へと変えることにより、潜像を可視化することができる。この場合、本実施形態に係る表示体１００は、第２領域Ｒ２の高周波クロスグレーティングにより光を吸収することにより、例えば外乱光がある観察環境においてもハイコントラストなフォトカラーを実現することが可能となる。
【００６４】
なお、図示しないが、図９に示すより更に深い角度から観察する（つまり、特定条件下において観察する）と、第２領域Ｒ２から射出される回折光によりモノクロネガ画像を可視化することができる。これにより、本実施形態に係る表示体１００は、より高い偽造防止効果を得ることができる。
【００６５】
この表示体１００において、界面部ＩＦ１乃至ＩＦ４は同一面内にある。それゆえ、例えば、これらに対応した凹構造及び／又は凸構造を１枚の原版に形成し、この凹構造及び／又は凸構造を樹脂を含んだ層に転写することにより、界面部ＩＦ１乃至ＩＦ４を同時に形成することができる。従って、原版に凹構造及び／又は凸構造を高精度に形成しておけば、界面部ＩＦ１乃至ＩＦ４の位置ずれの問題を生じ得ない。
【００６６】
界面部ＩＦ乃至ＩＦ４を構成している複数の凹部又は凸部の深さ又は高さは、典型的には、３００ｎｍ乃至５００ｎｍの範囲内とする。
【００６７】
界面部ＩＦ１乃至ＩＦ４を構成している複数の凹部又は凸部のアスペクト比は、例えば０．５乃至１．５の範囲内とし、典型的には１．０乃至１．５の範囲内とする。このアスペクト比が過度に小さいと、熱及び圧力などの外的要因による凹部又は凸部の変形が生じ易くなる。このアスペクト比が過度に大きいと、樹脂層１０及び表示体１００の生産性が低下する場合がある。なお、ここで「アスペクト比」とは、複数の凹部の開口の幅に対する深さの比の平均値、又は、複数の凸部の底面の幅に対する高さの比の平均値を意味している。
【００６８】
表示体１００には、種々の変形が可能である。
【００６９】
例えば、図５には、界面部ＩＦ４が各々が円錐形状からなる複数の凸部を備えている場合を描いているが、界面部ＩＦ４の構成は、これには限られない。
【００７０】
例えば、界面部ＩＦ４を構成している複数の凹部又は凸部は、四角錐形状又は三角錐形状を有していてもよい。また、これら複数の凹部又は凸部は、切頭錐形状を有していてもよい。或いは、これら複数の凹部又は凸部は、底面積が異なる複数の四角柱をその底面積が大きなものから順に積み重ねた構造を有していてもよい。なお、四角柱の代わりに、円柱や三角柱などの四角柱以外の柱状体を積み重ねてもよい。
【００７１】
また、図５には、複数の凸部が正方格子状に配列している場合を描いているが、複数の凹部又は凸部の配列様式は、これには限られない。例えば、これら複数の凹部又は凸部は、矩形格子状又は三角格子状に配列していてもよい。
【００７２】
また、図２には、複数の画素ＰＥが矩形格子状に配列している場合を描いているが、複数の画素ＰＥの配列様式は、これに限られない。例えば、これら複数の画素ＰＥは、三角格子状に配列していてもよい。
【００７３】
また、表示体１００は、樹脂層１０及び反射層２０に加えて、他の公知の層を更に備えていてもよい。例えば、表示体１００は、反射層２０を被覆する保護層を更に備えていてもよい。
【００７４】
以上において説明した表示体１００は、例えば、粘着ステッカ、転写箔、又はスレッドの一部として使用してもよい。或いは、この表示体１００は、ティアテープの一部として使用してもよい。
【００７５】
図１０は、本発明の一態様に係る転写箔を拡大して示す断面図である。図１０に示す転写箔２００は、先に説明した表示体１００と、表示体１００を剥離可能に支持した支持体層５０とを備えている。図１０には、一例として、表示体１００の前面と支持体層５０との間に剥離層５２が設けられており、表示体１００の背面上に接着層５４が設けられている場合を描いている。
【００７６】
支持体層５０は、例えば、樹脂からなるフィルム又はシートである。支持体層５０の材料としては、例えば、ポリエチレンテレフタレート樹脂、ポリエチレンナフタレート樹脂、ポリイミド樹脂、ポリエチレン樹脂、ポリプロピレン樹脂、又は塩化ビニル樹脂を使用する。
【００７７】
剥離層５２は、転写箔２００を被転写体に転写する際の支持体層５０の剥離を容易にする役割を担っている。剥離層５２の材料としては、例えば、樹脂を使用する。剥離層５２は、パラフィンワックス、カルナバワックス、ポリエチレンワックス及びシリコーンなどの添加剤を更に含んでいてもよい。なお、剥離層５２の厚みは、例えば０．５μｍ乃至５μｍの範囲内とする。
【００７８】
接着層５４の材料としては、例えば、反応硬化型接着剤、溶剤揮散型接着剤、ホットメルト型接着剤、電子線硬化型接着剤及び感熱接着剤などの接着剤を使用する。
【００７９】
反応硬化性接着剤としては、例えば、ポリエステルウレタン、ポリエーテルウレタン及びアクリルウレタンなどのポリウレタン系樹脂、又は、エポキシ樹脂を使用する。
【００８０】
溶剤揮散型接着剤としては、例えば、酢酸ビニル樹脂、アクリル酸エステル共重合樹脂、エチレン−酢酸ビニル共重合樹脂、アイオノマー樹脂及びウレタン樹脂などを含んだ水性エマルジョン型接着剤、天然ゴム、スチレン−ブタジエン共重合樹脂及びアクリロニトリル−ブタジエン共重合樹脂などを含んだラテックス型接着剤を使用する。
【００８１】
ホットメルト型接着剤としては、例えば、エチレン−酢酸ビニル共重合樹脂、エチレン−エチルアクリレート共重合樹脂、ポリエステル樹脂、ポリカーボネート樹脂、ポリビニルエーテル樹脂及びポリウレタン樹脂などをベース樹脂として含んだものを使用する。
【００８２】
電子線硬化型接着剤としては、例えば、アクリロイル基、アリル基及びビニル基などのビニル系官能基を１個又は複数個有したオリゴマーを主成分として含んだものを使用する。例えば、電子線硬化型接着剤として、ポリエステルアクリレート、ポリエステルメタクリレート、エポキシアクリレート、エポキシメタクリレート、ウレタンアクリレート、ウレタンメタクリレート、ポリエーテルアクリレート又はポリエーテルメタクリレートと、接着付与剤との混合物を使用することができる。この接着付与剤としては、例えば、リンを含んだアクリレート若しくはその誘導体、又は、カルボキシ基を含んだアクリレート若しくはその誘導体を使用する。
【００８３】
感熱接着剤としては、例えば、ポリエステル樹脂、アクリル樹脂、塩化ビニル樹脂、ポリアミド樹脂、ポリ酢酸ビニル樹脂、ゴム系樹脂、エチレン−酢酸ビニル共重合樹脂又は塩化ビニル−酢酸ビニル共重合樹脂を使用する。
【００８４】
接着層５４は、例えば、上述した樹脂を、グラビアコータ、マイクログラビアコータ及びロールコータなどのコータを用いて表示体１００の背面上に塗布することにより得られる。
【００８５】
この転写箔２００は、例えば、ロール転写機又はホットスタンプによって、被転写体に転写される。この際、剥離層５２において剥離を生じると共に、表示体１００が、被転写体に、接着層５４を介して貼付される。
【００８６】
図１１は、表示体付き物品の一例を概略的に示す平面図である。図１１には、表示体付き物品の一例として、印刷物３００を描いている。この印刷物３００は、磁気カードであって、基材３０１を含んでいる。基材３０１は、例えば、プラスチックからなる。
【００８７】
基材３０１上には、印刷層３０２が形成されている。基材３０１の印刷層３０２が形成された面には、上述した表示体１００が、例えば粘着層と介して固定されている。表示体１００は、例えば、粘着ステッカとして又は転写箔として準備しておき、これを印刷層３０２に貼り付けることにより、基材３０１に固定する。
【００８８】
この印刷物３００は、上述した表示体１００を含んでいる。それゆえ、この印刷物３００は、偽造防止効果に優れている。この印刷物３００は、表示体１００に加えて、印刷層３０２を更に含んでいる。従って、表示体１００の光学効果を印刷層３０２のそれと比較することにより、表示体１００の光学効果を際立たせることができる。
【００８９】
図１１には、表示体１００を含んだ印刷物として磁気カードを例示しているが、表示体１００を含んだ印刷物は、これに限られない。例えば、表示体１００を含んだ印刷物は、ＩＣ（integrated circuit）カード、無線カード及びＩＤ（identification）カードなどの他のカードであってもよい。或いは、表示体１００を含んだ印刷物は、商品券及び株券などの有価証券であってもよい。或いは、表示体１００を含んだ印刷物は、真正品であることが確認されるべき物品に取り付けられるべきタグであってもよい。或いは、表示体１００を含んだ印刷物は、真正品であることが確認されるべき物品を収容する包装体又はその一部であってもよい。
【００９０】
また、図１１に示す印刷物３００では、表示体１００を基材３０１に貼り付けているが、表示体１００は、他の方法で基材に支持させることができる。例えば、基材として紙を使用した場合、表示体１００を紙に漉き込み、表示体１００に対応した位置で紙を開口させてもよい。或いは、基材として光透過性の材料を使用する場合、その内部に表示体１００を埋め込んでもよく、基材の裏面、即ち表示面とは反対側の面に表示体１００を固定してもよい。
【００９１】
また、ラベル付き物品は、印刷物でなくてもよい。即ち、印刷層を含んでいない物品に表示体１００を支持させてもよい。例えば、表示体１００は、美術品などの高級品に支持させてもよい。
【００９２】
表示体１００は、偽造防止以外の目的で使用してもよい。例えば、表示体１００は、玩具、学習教材、及び装飾品などとしても利用することができる。
【００９３】
（変形例）
本実施形態の変形例によれば、第２領域Ｒ２において以下に説明する各サブ領域における複数の凹部又は凸部の中心間距離を異ならせることによって、上記した特定条件下において第２領域Ｒ２がそれぞれの色の回折光を射出する構成とすることができる。
【００９４】
この場合、第２領域Ｒ２のうち赤色表示用画素ＰＥＲに備えられている第２領域Ｒ２（第４サブ領域）は、特定条件下において赤色を表示するように構成されている。即ち、この赤色表示用画素ＰＥＲに備えられている第２領域Ｒ２は、特定条件下において、赤色に対応した波長の回折光を射出するように構成された複数の凹部又は凸部を備えている。赤色表示用画素ＰＥＲに備えられている第２領域Ｒ２における複数の凹部又は凸部の中心間距離は、例えば４００ｎｍ乃至５００ｎｍの範囲内とし、典型的には４３０ｎｍ乃至４７０ｎｍの範囲内とする。
【００９５】
第２領域Ｒ２のうち緑色表示用画素ＰＥＧに備えられている第２領域Ｒ２（第５サブ領域）は、特定条件下において緑色を表示するように構成されている。即ち、この緑色表示用画素ＰＥＧに備えられている第２領域Ｒ２は、特定条件下において、緑色に対応した波長の回折光を射出するように構成された複数の凹部又は凸部を備えている。緑色表示用画素ＰＥＧに備えられている第２領域Ｒ２における複数の凹部又は凸部の中心間距離は、例えば３５０ｎｍ乃至４５０ｎｍの範囲内とし、典型的には、３８０ｎｍ乃至４２０ｎｍの範囲内とする。
【００９６】
第２領域のうち青色表示用画素ＰＥＢに備えられている第２領域Ｒ２（第６サブ領域）は、特定条件下において青色を表示するように構成されている。即ち、この青色表示用画素ＰＥＢに備えられている第２領域Ｒ２は、特定条件下において、青色に対応した波長の回折光を射出するように構成された複数の凹部又は凸部を備えている。青色表示用画素ＰＥＢに備えられている第２領域Ｒ２における複数の凹部又は凸部の中心間距離は、例えば３００ｎｍ乃至４００ｎｍの範囲内とし、典型的には、３３０ｎｍ乃至３７０ｎｍの範囲内とする。
【００９７】
本実施形態の変形例においては、上記したような構成とすることで、斜め方向から観察する条件において第１サブ領域ＳＲ１、第２サブ領域ＳＲ２及び第３サブ領域ＳＲ３の分布に基づいた画像（フルカラーポジ画像）を表示すると共に、特定条件下において第２領域Ｒ２（第４サブ領域、第５サブ領域及び第６サブ領域）の分布に基づいた画像（フルカラーネガ画像）を表示することができる。
【実施例】
【００９８】
以下のようにして、図３、図７及び図８を参照しながら説明した画素ＰＥを備えた転写箔２００を製造した。そして、これを用いて、これら画素ＰＥを備えた表示体１００を支持した表示体付き物品を製造した。
【００９９】
まず、法線方向から観察する条件、斜め方向から観察する条件及び特定条件下の各々において所望の像を表示可能とする描画データを作成した。なお、ＲＧＢを表現する回折構造以外の部分（つまり、第２領域Ｒ２）については２０００本／ｍｍのクロスグレーティングで描画するデータを作成した。そして、電子線レジスト上に、上記データに対応した形状を、電子線を用いて描画した。このレジストを現像し、所望の凹部又は凸部を形成した。その後、気相堆積法により導電層を成膜し、ニッケルスパッタで各凹部又は凸部の表面に導通をとり、ニッケル電鋳により金型を作製した。このようにして、版を作製した。
【０１００】
次に、ポリエチレンテレフタレート樹脂からなる樹脂層５０の上に、アクリル樹脂からなる剥離層５２を塗付した。この剥離層５２の厚みは、１μｍであった。次いで、その上に、成形加工用の樹脂からなる層を塗付した。この層の厚みは、１μｍであった。このようにして、原反を作製した。
【０１０１】
続いて、上記原反の樹脂からなる層側の面に、例えば１００℃の熱及び１ＭＰａの圧力で加熱及び加圧しながら版を押し付けた。このようにして、一方の主面に複数の凹部又は凸部を備えた樹脂層１０を得た。
【０１０２】
なお、第１サブ領域ＳＲ１に対応した部分では、複数の凹部又は凸部の中心間距離は、８７０ｎｍとした。第２サブ領域ＳＲ２に対応した部分では、複数の凹部又は凸部の中心間距離は、７６５ｎｍとした。第３サブ領域ＳＲ３に対応した部分では、複数の凹部又は凸部の中心間距離は、７４５ｎｍとした。そして、第２領域に対応した部分では、複数の凹部又は凸部の中心間距離は、２５０ｎｍとした。
【０１０３】
次いで、樹脂層１０の上に、アルミニウムを蒸着させた。このようにして、反射層２０を得た。この反射層２０の厚みは、５０ｎｍであった。
【０１０４】
その後、反射層２０の上に、アクリル系樹脂からなる接着剤を、グラビアコードディング法でアルミニウムの蒸着面に２μｍの厚さで塗付した。このようにして、接着層５４を形成した。以上のようにして、転写箔２００を得た。
【０１０５】
次いで、この転写箔２００を用いて、表示体１００の被転写体への転写を行った。この被転写体としては、紙を用いた。また、転写は、１５０℃の温度及び１０ＭＰａの圧力で行った。このようにして、表示体付き物品として、表示体１００が貼付された紙を得た。
【０１０６】
この紙について、斜め方向から観察を行った。その結果、高周波クロスグレーティングにより光が吸収されているので、コントラストが低下することなく、フルカラーの像を明確に観察することができた。続いて、この紙について、特定条件下で、つまり、この紙をより深く傾けて観察を行った。その結果、上記のフルカラーの像とは異なったネガ画像（モノクロネガ画像又はフルカラーネガ画像）を、明確に観察することができた。即ち、この表示体１００を用いると、観察者が観察する角度に応じて異なった像を明瞭に表示することができた。
【０１０７】
また、本実施形態に係る表示体１００においては、第２領域Ｒ２における複数の凹部又は凸部の中心間距離は２５０ｎｍ乃至５００ｎｍの範囲内であるため、第２領域Ｒ２の表面積は大きくなる。従って、第２領域Ｒ２に対応した部分の膜厚が小さくなるため、当該第２領域Ｒ２は透過光による観察を行うことができる。このため、本実施形態１００と、第２領域Ｒ２の部分が異なる構造を有する他の表示体とを区別することが可能となる。
【符号の説明】
【０１０８】
１０…樹脂層、２０…反射層、５０…樹脂層、５２…剥離層、５４…接着層、１００…表示体、２００…転写箔、３００…印刷物、３０１…基材、３０２…印刷層、ＩＦ１…第１界面部、ＩＦ２…第２界面部、ＩＦ３…第３界面部、ＩＦ４…第４界面部、Ｌ１…照明光、Ｌ２…正反射光、Ｌ３…１次回折光、ＰＥ…画素、ＰＥＢ…青色表示用画素、ＰＥＧ…緑色表示用画素、ＰＥＲ…赤色表示用画素、Ｒ２…第２領域、ＳＲ１…第１サブ領域、ＳＲ２…第２サブ領域、ＳＲ３…第３サブ領域。
【図１】
2013120259.tif 000003
【図２】
2013120259.tif 000004
【図３】
2013120259.tif 000005
【図４】
2013120259.tif 000006
【図５】
2013120259.tif 000007
【図６】
2013120259.tif 000008
【図７】
2013120259.tif 000009
【図８】
2013120259.tif 000010
【図９】
2013120259.tif 000011
【図１０】
2013120259.tif 000012
【図１１】
2013120259.tif 000013